(57)【要約】【課題】１つのシールであっても複数の種別に対応して使用することができる配送用シール、配送用シールの使用方法、識別シール、識別シールの使用方法を提供する。【解決手段】取扱店控とお客様控が連接され、取扱種別を選択して使用可能な配送用シールであって、剥離基材と剥離基材の剥離処理面に粘着剤層を介して貼り合わされたシール基材からなり、かつ、シール基材は、粘着剤層側から中間基材、接着剤層、紙基材からなる積層体をなし、取扱店控には貼付シール周縁切込みによって配送物貼付シール部が形成され、配送物貼付シールには、取扱種別表示変更用切込みによって取扱種別表示部が形成され、取扱種別表示部の裏側に剥離剤層が形成され、取扱種別表示部の紙基材の表出面には取扱種別表示が識別可能に印刷され、取扱種別表示部が形成されていない周縁切込みの短辺の両側には、配送情報が印刷されている。【選択図】図１
2013216082.tif 000002
【特許請求の範囲】
【請求項１】
取扱店控とお客様控がお客様控切り離し予定部で連接され、速達、通常何れかの取扱種別を選択して使用することが可能な配送用シールであって、
前記配送用シールは、剥離基材と剥離基材の剥離処理面に粘着剤層を介して貼り合わされたシール基材からなり、かつ、前記シール基材は、粘着剤層側から中間基材、接着剤層、紙基材からなる積層体をなし、
前記取扱店控には長方形状の貼付シール周縁切込みによって配送物貼付シール部が形成され、前記配送物貼付シール部の短辺側の一端内側には、配送物貼付シール部の短辺に平行で短辺と同一長の取扱種別表示変更用切込みによって取扱種別表示部が形成され、
前記貼付シール周縁切込みと前記取扱種別表示変更用切込みに囲まれた紙基材の取扱種別表示部の裏側には全面に剥離剤層が形成され、
前記貼付シール周縁切込みはシール基材と粘着剤層を貫通する状態で、前記取扱種別表示変更用切込みは紙基材と前記剥離剤層を貫通する状態で形成され、
前記取扱種別表示部の紙基材の表出面には速達、通常の何れか一方の取扱種別表示が識別可能に印刷され、
前記取扱種別表示部が形成されていない前記貼付シール周縁切込みの短辺の両側には、配送情報が前記貼付シール周縁切込みの短辺切込みを跨ぐように印刷され、取扱種別表示部の裏側、中間基材の紙基材側表面には紙基材の表出面に印刷された取扱種別表示の他の一方の取扱種別表示が剥離剤層を介して識別可能に印刷されていることを特徴とする配送用シール。
【請求項２】
請求項１に記載の配送用シールにおいて、
配送情報表示文字を囲むマークガイドが貼付シール周縁切込みの短辺切込みを跨ぐように印刷されていることを特徴とする配送用シール。
【請求項３】
請求項１または２に記載の配送用シールの使用方法であって、
速達、通常何れかの取扱種別を選択し、選択した配送情報を囲むように、または、マークガイドに沿ってマークを記載し、配送物貼付シール部を取扱店控から粘着剤層で剥ぎ取って粘着剤面で配送物に貼付し、選択した取扱種別と取扱種別表示部に印刷された取扱種別表示が異なっているときは取扱種別表示部を貼付シール周縁切込みと前記取扱種別表示変更用切込みに沿って剥ぎ取って選択された取扱種別表示を表出させ、取扱店控とお客様控をお客様控切り離し予定部で切り離し、お客様控を客に渡し、取扱店控を店に残すことを特徴とする配送用シールの使用方法。
【請求項４】
剥離基材の剥離処理面上に粘着剤層を介して中間基材、接着剤層、紙基材が順次貼り合わされた積層体からなり、前記紙基材表出面に表示された取扱種別表示及び配送情報を選択することによって速達、通常何れにも使用することが可能な配送用シールであって、
前記配送用シールの紙基材には配送物に貼付される矩形状の貼付シール部が前記紙基材、接着剤層、中間基材を貫通する貼付シール部周縁切込みによって形成され、
前記貼付シール部は、貼付シール部の一短辺近傍内側に短辺に平行で短辺と同一長に形成された紙基材を貫通する副シール部境界切込みによって主シール部と副シール部に分断され、
前記副シール部の紙基材の裏面には全面に剥離剤層が形成され、
前記副シール部の紙基材の表出面には速達、通常の何れか一方の取扱種別表示が識別可能に印刷され、副シール部の裏側、中間基材の紙基材側表面には紙基材の表出面に印刷された取扱種別表示と異なる取扱種別表示が剥離剤層を介して識別可能に印刷され、
前記副シール部が形成されていない前記貼付シール部周縁切込みの短辺切込みを跨ぐように配送情報が印刷されていることを特徴とする配送用シール。
【請求項５】
請求項４に記載の配送用シールにおいて、
主シール部の紙基材表出面には機械読み取り可能な管理コードが、貼付シール部の外側の所定部には前記管理コードに紐付けされ、識別可能に表示された問い合わせ情報が印刷されていることを特徴とする配送用シール。
【請求項６】
請求項４または５に記載の配送用シールにおいて、
配送情報の周りには配送情報を囲むマークガイドが前記短辺切込みを跨ぐように印刷されていることを特徴とする配送用シール。
【請求項７】
請求項４〜６何れかに記載の配送用シールの使用方法であって、
速達、通常何れかの取扱種別を選択し、選択した配送情報を囲むように、または、マークガイドに沿ってマークを付し、貼付シール部を粘着剤層で配送用シールから剥がし取って粘着剤面で配送物に貼付し、選択した取扱種別と副シール部に印刷された取扱種別表示が異なっているときは副シール部を副シール部境界切込みに沿って貼付シール部から剥離剤層で剥がし取って選択された取扱種別を表出させ、貼付シール部が剥がし取られた配送用シールを客控として客に渡すことを特徴とする配送用シールの使用方法。
【請求項８】
請求項７に記載の配送用シールの使用方法において、
さらに、客から配送物の配送状況を問われたときに、客が提示した問い合わせ情報によって管理コードを検索し、配送担当が配送物を投函する直前に貼付シール部の管理コードを携帯端末によって読み取り登録した管理コードが存在すれば、問い合わせがあった配送物は配送済みとすることを特徴とする配送用シールの使用方法。
【請求項９】
剥離基材と、剥離基材上に再貼付可能な粘着剤により積層されたシール層とを備える識別シールであって、
前記シール層は、
前記粘着剤側から中間基材、接着剤層、上基材が積層され、
貼付シール部と、前記貼付シール部の周辺の周辺シール部とに、分離線によって分断されており、
前記貼付シール部は、
主シール部と、
前記上基材に設けられた切込み線を介して前記主シール部に連設され、前記上基材により形成され、前記接着剤層上に設けられた剥離剤層により剥離可能に設けられた副シール部と、
前記副シール部上に設けられた第１識別情報と、
前記中間基材上のうち前記副シール部が配置されている領域に設けられた第２識別情報とを備え、
前記貼付シール部が被着体に再貼付された状態において、前記副シール部が残存した態様では前記第１識別情報が視認可能であり、前記副シール部が剥離された態様では前記第２識別情報が視認可能であること、
を特徴とする識別シール。
【請求項１０】
請求項９に記載の識別シールにおいて、
前記第１識別情報及び前記第２識別情報のうち、実使用時の利用頻度の多い方が前記第１識別情報に設定されていること、
を特徴とする識別シール。
【請求項１１】
請求項９又は請求項１０に記載の識別シールにおいて、
前記主シール部及び前記周辺シール部に設けられ、前記分離線を跨ぐように配置された細識別情報を備えること、
を特徴とする識別シール。
【請求項１２】
請求項１１に記載の識別シールにおいて、
前記細識別情報は、複数の種類が設けられていること、
を特徴とする識別シール。
【請求項１３】
請求項１２に記載の識別シールにおいて、
前記細識別情報の周囲全周又は周囲一部に、前記分離線を跨ぐように配置されたマークガイドを備えること、
を特徴とする識別シール。
【請求項１４】
請求項９から請求項１３のいずれかに記載の識別シールにおいて、
前記主シール部、前記周辺シール部にそれぞれ設けられた管理情報を備えること、
を特徴とする識別シール。
【請求項１５】
請求項９から請求項１４のいずれかに記載の識別シールにおいて、
前記識別シールは、配送用シールであり、
前記貼付シール部は、配送物である被着体に再貼付され、
前記周辺シール部は、配送元の控えであること、
を特徴とする識別シール。
【請求項１６】
請求項９から請求項１３のいずれかに記載の識別シールにおいて、
前記貼付シール部、前記周辺シール部にそれぞれ設けられた管理情報を備え、
前記識別シールは、配送用シールであり、
前記貼付シール部は、配送物である被着体に再貼付され、
前記周辺シール部の前記管理情報が設けられた部分は、
分離線により前記周辺シール部から分離可能であり、
発送元の控え片に再貼付可能であること
を特徴とする識別シール。
【請求項１７】
請求項９から請求項１４のいずれかに記載の識別シールにおいて、
前記識別シールから分離可能に設けられた分離片を備えること、
を特徴とする識別シール。
【請求項１８】
請求項１７に記載の識別シールにおいて、
前記主シール部、前記周辺シール部、前記分離片にそれぞれ設けられた管理情報を備えること、
を特徴とする識別シール。
【請求項１９】
請求項１７又は請求項１８に記載の識別シールにおいて、
前記識別シールは、配送用シールであり、
前記貼付シール部は、配送物である被着体に再貼付され、
前記周辺シール部、前記分離片は、配送元の控えであること、
を特徴とする識別シール。
【請求項２０】
請求項９から請求項１９のいずれかに記載の識別シールの使用方法であって、
前記剥離基材及び前記周辺シール部から、前記貼付シール部を剥離する工程と、
前記貼付シール部の前記副シール部を剥離するか否かを選択する工程と、
前記貼付シール部を、被着体に再貼付する工程とを備えること、
を特徴とする識別シールの使用方法。
【請求項２１】
請求項１７から請求項１９のいずれかに記載の識別シールの使用方法であって、
前記分離片を分離する工程と、
前記剥離基材及び前記周辺シール部から、前記貼付シール部を剥離する工程と、
前記貼付シール部の前記副シール部を剥離するか否かを選択する工程と、
前記貼付シール部を、被着体に再貼付する工程とを備えること、
を特徴とする識別シールの使用方法。
【発明の詳細な説明】
【技術分野】
【０００１】
本発明は、配送用シール、配送用シールの使用方法、識別シール、識別シールの使用方法に関するものである。
【背景技術】
【０００２】
近年、被着体である冊子状の印刷物その他の軽量物を対象とする「メール便」と呼ばれる宅配サービスが多く利用されている。
この「メール便」は、配送業者が送り主から配送物を預かり、集荷した配送物を配達地域別に仕分けして発送し、受取人の郵便受け等に配送物を投函して配送を完了するもので、配送物が投函可能な大きさのものに制限されている。
このサービスでは、従来から実施されている宅配便と異なり、配送物を受取人に渡す際に受領印や、サインを貰う、いわゆる判取りは行わない。
【０００３】
通常の宅配システムでは、伝票に記載された番号で配送物の配送状況を管理しているが、「メール便」でも、管理番号のみが表示されたラベルを配送伝票とともに配送物に貼付し、配送状況の管理に使用している。
そこで、配送物に届け先（受取人）の住所のみを記載し、併せて機械読取り用のコードだけが印刷されたラベルを貼付する配送システムが提供されている。
このシステムにおいて、受取人の確認は前述の機械読取り用のコードを携帯端末で読取ることによって、コードに紐つけされた受取人名を携帯端末の表示部に表示させて確認するというものである（例えば、特許文献１参照）。
【先行技術文献】
【特許文献】
【０００４】
【特許文献１】特開２００１−２７２９１４号公報
【発明の概要】
【発明が解決しようとする課題】
【０００５】
また、近年では、通常条件で送付される通常メール便のほかに、速達扱いの速達メール便等、複数の種別が出現している。
そこで本発明は、１つのシールであっても複数の種別に対応して使用することができる配送用シール、配送用シールの使用方法、識別シール、識別シールの使用方法を提供することを目的とするものである。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
・第１の発明は、取扱店控とお客様控がお客様控切り離し予定部で連接され、速達、通常何れかの取扱種別を選択して使用することが可能な配送用シールであって、前記配送用シールは、剥離基材と剥離基材の剥離処理面に粘着剤層を介して貼り合わされたシール基材からなり、かつ、前記シール基材は、粘着剤層側から中間基材、接着剤層、紙基材からなる積層体をなし、前記取扱店控には長方形状の貼付シール周縁切込みによって配送物貼付シール部が形成され、前記配送物貼付シール部の短辺側の一端内側には、配送物貼付シール部の短辺に平行で短辺と同一長の取扱種別表示変更用切込みによって取扱種別表示部が形成され、前記貼付シール周縁切込みと前記取扱種別表示変更用切込みに囲まれた紙基材の取扱種別表示部の裏側には全面に剥離剤層が形成され、前記貼付シール周縁切込みはシール基材と粘着剤層を貫通する状態で、前記取扱種別表示変更用切込みは紙基材と前記剥離剤層を貫通する状態で形成され、前記取扱種別表示部の紙基材の表出面には速達、通常の何れか一方の取扱種別表示が識別可能に印刷され、前記取扱種別表示部が形成されていない前記貼付シール周縁切込みの短辺の両側には、配送情報が前記貼付シール周縁切込みの短辺切込みを跨ぐように印刷され、取扱種別表示部の裏側、中間基材の紙基材側表面には紙基材の表出面に印刷された取扱種別表示の他の一方の取扱種別表示が剥離剤層を介して識別可能に印刷されていることを特徴とする配送用シールである。
・第２の発明は、第１の発明の配送用シールにおいて、配送情報表示文字を囲むマークガイドが貼付シール周縁切込みの短辺切込みを跨ぐように印刷されていることを特徴とする配送用シールである。
・第３の発明は、第１または２の発明の配送用シールの使用方法であって、速達、通常何れかの取扱種別を選択し、選択した配送情報を囲むように、または、マークガイドに沿ってマークを記載し、配送物貼付シール部を取扱店控から粘着剤層で剥ぎ取って粘着剤面で配送物に貼付し、選択した取扱種別と取扱種別表示部に印刷された取扱種別表示が異なっているときは取扱種別表示部を貼付シール周縁切込みと前記取扱種別表示変更用切込みに沿って剥ぎ取って選択された取扱種別表示を表出させ、取扱店控とお客様控をお客様控切り離し予定部で切り離し、お客様控を客に渡し、取扱店控を店に残すことを特徴とする配送用シールの使用方法である。
【０００８】
・第４の発明は、剥離基材の剥離処理面上に粘着剤層を介して中間基材、接着剤層、紙基材が順次貼り合わされた積層体からなり、前記紙基材表出面に表示された取扱種別表示及び配送情報を選択することによって速達、通常何れにも使用することが可能な配送用シールであって、前記配送用シールの紙基材には配送物に貼付される矩形状の貼付シール部が前記紙基材、接着剤層、中間基材を貫通する貼付シール部周縁切込みによって形成され、前記貼付シール部は、貼付シール部の一短辺近傍内側に短辺に平行で短辺と同一長に形成された紙基材を貫通する副シール部境界切込みによって主シール部と副シール部に分断され、前記副シール部の紙基材の裏面には全面に剥離剤層が形成され、前記副シール部の紙基材の表出面には速達、通常の何れか一方の取扱種別表示が識別可能に印刷され、副シール部の裏側、中間基材の紙基材側表面には紙基材の表出面に印刷された取扱種別表示と異なる取扱種別表示が剥離剤層を介して識別可能に印刷され、前記副シール部が形成されていない前記貼付シール部周縁切込みの短辺切込みを跨ぐように配送情報が印刷されていることを特徴とする配送用シールである。
・第５の発明は、第４の発明の配送用シールにおいて、主シール部の紙基材表出面には機械読み取り可能な管理コードが、貼付シール部の外側の所定部には前記管理コードに紐付けされ、識別可能に表示された問い合わせ情報が印刷されていることを特徴とする配送用シールである。
・第６の発明は、第４または５の発明の配送用シールにおいて、配送情報の周りには配送情報を囲むマークガイドが前記短辺切込みを跨ぐように印刷されていることを特徴とする配送用シールである。
・第７の発明は、第４〜６何れかの発明の配送用シールの使用方法であって、速達、通常何れかの取扱種別を選択し、選択した配送情報を囲むように、または、マークガイドに沿ってマークを付し、貼付シール部を粘着剤層で配送用シールから剥がし取って粘着剤面で配送物に貼付し、選択した取扱種別と副シール部に印刷された取扱種別表示が異なっているときは副シール部を副シール部境界切込みに沿って貼付シール部から剥離剤層で剥がし取って選択された取扱種別を表出させ、貼付シール部が剥がし取られた配送用シールを客控として客に渡すことを特徴とする配送用シールの使用方法である。
・第８の発明は、第７の発明の配送用シールの使用方法において、さらに、客から配送物の配送状況を問われたときに、客が提示した問い合わせ情報によって管理コードを検索し、配送担当が配送物を投函する直前に貼付シール部の管理コードを携帯端末によって読み取り登録した管理コードが存在すれば、問い合わせがあった配送物は配送済みとすることを特徴とする配送用シールの使用方法である。
【０００９】
・第９の発明は、剥離基材（２，２０２）と、剥離基材上に再貼付可能な粘着剤（３ａ，３０３ａ）により積層されたシール層（３，３０３）とを備える識別シールであって、前記シール層は、前記粘着剤側から中間基材（３ｂ，３０３ｂ）、接着剤層（３ｃ，３０３ｃ）、上基材（３ｄ，３０３ｄ）が積層され、貼付シール部（２０，２２０）と、前記貼付シール部の周辺の周辺シール部（１０，２１０）とに、分離線（１１，２１１）によって分断されており、前記貼付シール部は、主シール部（３０，２３０）と、前記上基材に設けられた切込み線（４１，２４１）を介して前記主シール部に連設され、前記上基材により形成され、前記接着剤層上に設けられた剥離剤層（４５，２４５）により剥離可能に設けられた副シール部（４０，２４０）と、前記副シール部上に設けられた第１識別情報（４２，２４２）と、前記中間基材上のうち前記副シール部が配置されている領域に設けられた第２識別情報（５２，２５２）とを備え、前記貼付シール部が被着体（７０，２７０）に再貼付された状態において、前記副シール部が残存した態様では前記第１識別情報が視認可能であり、前記副シール部が剥離された態様では前記第２識別情報が視認可能であること、を特徴とする識別シールである。
・第１０の発明は、第９の発明の識別シールにおいて、前記第１識別情報（４２，２４２）及び前記第２識別情報（５２，２５２）のうち、実使用時の利用頻度の多い方が前記第１識別情報に設定されていること、を特徴とする識別シールである。
・第１１の発明は、第９又は第１０の発明の識別シールにおいて、前記主シール部（４０，２４０）及び前記周辺シール部（１０，２１０）に設けられ、前記分離線（１１，２１１）を跨ぐように配置された細識別情報（４３，５３，２４３，２５３）を備えること、を特徴とする識別シールである。
・第１２の発明は、第１１の発明の識別シールにおいて、前記細識別情報（４３，５３，２４３，２５３）は、複数の種類が設けられていること、を特徴とする識別シールである。
・第１３の発明は、第１２の発明の識別シールにおいて、前記細識別情報（４３，５３，２４３，２５３）の周囲全周又は周囲一部に、前記分離線（１１，２１１）を跨ぐように配置されたマークガイド（４４，５４，２４４，２５４）を備えること、を特徴とする識別シールである。
・第１４の発明は、第９から第１３のいずれかの発明の識別シールにおいて、前記主シール部（４０，２４０）、前記周辺シール部（１０，２１０）にそれぞれ設けられた管理情報（６２，６３，２６２，２６３）を備えること、を特徴とする識別シールである。
・第１５の発明は、第９から第１４のいずれかの発明の識別シールにおいて、前記識別シールは、配送用シールであり、前記貼付シール部（２０，２２０）は、配送物である被着体（７０，２７０）に再貼付され、前記周辺シール部（１０，２１０）は、配送元の控えであること、を特徴とする識別シールである。
【００１０】
・第１６の発明は、第９から第１３のいずれかの発明の識別シールにおいて、前記貼付シール部（２２０）、前記周辺シール部（２１０）にそれぞれ設けられた管理情報（２６２，２６３）を備え、前記識別シールは、配送用シールであり、前記貼付シール部は、配送物である被着体（２７０）に再貼付され、前記周辺シール部の前記管理情報が設けられた部分（２６２ａ）は、分離線（２６２ｂ）により前記周辺シール部から分離可能であり、発送元の控え片に再貼付可能であること、を特徴とする識別シールである。
【００１１】
・第１７の発明は、第９から第１４のいずれかの発明の識別シールにおいて、前記識別シールから分離可能に設けられた分離片（５）を備えること、を特徴とする識別シールである。
・第１８の発明は、第１７の発明の識別シールにおいて、前記主シール部（３０）、前記周辺シール部（１０）、前記分離片（５）にそれぞれ設けられた管理情報（６１，６２，６３）を備えること、を特徴とする識別シールである。
・第１９の発明は、第１７又は第１８の発明の識別シールにおいて、前記識別シールは、配送用シール（１）であり、前記貼付シール部（２０）は、配送物である被着体（７０）に再貼付され、前記周辺シール部（１０）、前記分離片（５）は、配送元の控えであること、を特徴とする識別シールである。
【００１２】
・第２０の発明は、第９から第１９のいずれかの発明の識別シールの使用方法であって、前記剥離基材（２，２０２）及び前記周辺シール部から、前記貼付シール部（２０，２２０）を剥離する工程と、前記貼付シール部の前記副シール部（４０，２４０）を剥離するか否かを選択する工程と、前記貼付シール部を、被着体（７０）に再貼付する工程とを備えること、を特徴とする識別シールの使用方法である。
【００１３】
・第２１の発明は、第１７から第１９のいずれかの発明の識別シールの使用方法であって、前記分離片（５）を分離する工程と、前記剥離基材（２）及び前記周辺シール部（１０）から、前記貼付シール部（２０）を剥離する工程と、前記貼付シール部の前記副シール部（４０）を剥離するか否かを選択する工程と、前記貼付シール部を、被着体（７０）に再貼付する工程とを備えること、を特徴とする識別シールの使用方法である。
【発明の効果】
【００１４】
本発明によれば、１つのシールであっても、複数の種別に対応して使用することができる配送用シール及びその使用方法を提供できる。
また、本発明は、被着体の識別に好適な識別シート、識別方法を提供できる。
【図面の簡単な説明】
【００１５】
【図１】第１実施形態の配送用シールの一実施形態について説明するための図である。
【図２】図１の配送用シールのＡ−Ａ線断面について説明するための図である。
【図３】第１実施形態の配送用シールの他の実施形態について説明するための図である。
【図４】第１実施形態の速達メール便の使用方法について説明するための図である。
【図５】第１実施形態の配送物に速達メール便扱いの配送物貼付シール部が貼付されたメール便の一例と、その使用方法について説明するための図である。
【図６】第２実施形態の配送用シールの一実施形態について説明するための図である。
【図７】第２実施形態の配送用シールのＡ−Ａ線断面について説明するための図である。
【図８】第２実施形態の配送用シールの使用方法について説明するための図である。
【図９】第２実施形態の配送物に速達メール便扱いの貼付シール部が貼付されたメール便の一例と、その使用方法について説明するための図である。
【発明を実施するための形態】
【００１６】
以下、図面等を参照して、本発明の実施形態について説明する。
（第１実施形態）
図１及び図２を参照して、本発明の配送用シールの第１実施形態について説明する。
図１は、第１実施形態の配送用シールの一実施形態について説明するための図である。
図２は、図１の配送用シールの層構成について説明するための断面図である。
図２ａは、各部材が接着した状態であり、図２ｂは、各部材を剥離した状態である。
【００１７】
図１に示すように、本実施形態の配送用シール１（識別シール）は、取扱店控１０と客控５がお客様控切り離し予定部６で連接され、速達、通常何れかの取扱種別を選択して使用することが可能な配送用シールである。
【００１８】
配送用シール１は、図２に示すように、剥離基材２と剥離基材２の剥離処理面２ａに、シール層３が積層された積層体である。
シール層３は、剥離処理面２ａ側から粘着剤層３ａ、中間基材３ｂ、接着剤層３ｃ、紙基材３ｄ（上基材）が積層されている。シール層３は、粘着剤層３ａによって、剥離処理面２ａに接着されている。粘着剤層３ａは、再貼付可能な種類である。
【００１９】
配送用シール１は、客控５（分離片）、取扱店控１０（周辺シール部）、配送物貼付シール部２０を備える。
客控５、取扱店控１０は、切り離し予定部６で連接されている。
取扱店控１０、配送物貼付シール部２０は、シール層３の全ての層を貫通する長方形状の閉じた切込み１１（分離線）によって分離されている。配送物貼付シール部２０は、剥離基材２及び取扱店控１０から分離して剥離できる（図２ｂ参照）。
【００２０】
配送物貼付シール部２０は、主シール部３０、取扱種別表示部４０（副シール部）を備える。
主シール部３０、取扱種別表示部４０は、取扱種別表示変更用切込み４１によって分離可能である。
取扱種別表示変更用切込み４１は、配送物貼付シール部２０の短辺側の一端内側に配置されている。取扱種別表示変更用切込み４１は、配送物貼付シール部２０の短辺に平行で短辺と同一長の切込みである。取扱種別表示変更用切込み４１は、紙基材３ｄと剥離剤層４５（後述する）を貫通する状態で形成されている。
【００２１】
取扱種別表示部４０は、紙基材３ｄにより形成されている。すなわち、取扱種別表示部４０は、貼付シール周縁切込み１１と取扱種別表示変更用切込み４１に囲まれた領域である。
取扱種別表示部４０の裏側には、全面に剥離剤層４５が形成されている。剥離剤層４５は、取扱種別表示部４０の裏側全面に形成されている。
【００２２】
また、図１に示すように、取扱種別表示部４０が形成されていない貼付シール周縁切込み１１の短辺の両側（短辺を挟む配送物貼付シール部２０の一部と、配送物貼付シール部２０が剥された後に残される取扱店控１０の本体側の一部）には、「Ａ４  １ｃｍ  ８０」や、「Ａ４  ２ｃｍ  １００」などの配送情報４３，５３及び、配送情報４３，５３の表示文字を囲むマークガイド４４，５４（点線で表示している横に長い円）が貼付シール周縁切込み１１の短辺切込みを跨ぐように印刷されている。前記、配送情報４３，５３の表示文字を囲むマークガイド４４，５４は表示されている方が判り易いが、必ずしも必要ではない。
【００２３】
取扱種別表示部４０の紙基材３ｄの表出面には「速達」、「通常」の何れか一方の取扱種別表示４２が識別可能に印刷されている。
本実施形態では、取扱種別表示４２は「速達」、「通常」の文字を印刷することで区別する例で説明するが、取扱種別表示はこの形態に拘るものではなく、例えば、印刷の色、マーク、図柄などで表示することもできる。
また、取扱種別表示部４０の裏側、中間基材３ｂの紙基材側表面には紙基材３ｄの表出面に印刷された取扱種別表示４２の他の一方の取扱種別表示５２（図２、図４ｂ参照）が剥離剤層４５を介して識別可能な状態で印刷されている。
すなわち、図１に示すように、取扱種別表示部４０の紙基材３ｄの表出面の取扱種別表示４２が「通常」と印刷されている場合には、中間基材３ｂの紙基材側表面には取扱種別表示５２が「速達」と印刷されている。逆に、取扱種別表示部４０の紙基材３ｄの表出面の取扱種別表示４２が「速達」と印刷されている場合には、中間基材３ｂの紙基材側表面には取扱種別表示５２が「通常」と印刷される。前述の他の表示手段で表示する場合も同様である。
【００２４】
配送用シール１は、前述のように粘着剤層３ａを介して剥離基材２とシール層３が貼り合わされた積層構造になっていて、お客様控切り離し予定部６は切り離し易いように、例えば、上述の紙基材３ｄから剥離基材２の積層体を貫通するミシン目状の切込みによって形成されている。
お客様控切り離し予定部６は筋押しや、単なる印刷による表示だけでもよい。
【００２５】
すなわち、配送用シール１の構成は、以下の通りである。
剥離基材２及びシール層３は、切込み１１によって、取扱店控１０と、配送物貼付シール部２０（シール部）とに分断されている。
図２に示すように、切込み１１の断面形状は、剥離基材２の上部まで達している。これは、切込み１１が粘着剤層３ａを完全に貫通することにより、配送物貼付シール部２０が剥離しやすくなるためである。
【００２６】
配送物貼付シール部２０は、主シール部３０、取扱種別表示部４０、取扱種別表示４２（第１識別情報）、取扱種別表示５２（第２識別情報）を備える。
主シール部３０、取扱種別表示部４０は、紙基材３ｄに設けられた取扱種別表示変更用切込み４１を介して連設されている。
取扱種別表示部４０は、紙基材３ｄと、紙基材３ｄの裏面に設けられた剥離剤層４５とにより形成されている（図２ｂ参照）。
【００２７】
剥離剤層４５は、取扱種別表示部４０の接着剤層３ｃからの剥離性を向上するための層である。剥離剤層４５は、取扱種別表示部４０の外形よりも１回り大きく形成されており、一部が主シール部３０及び取扱店控１０の領域にまで達している。
剥離剤層４５は、紙基材３ｄの裏面及び接着剤層３ｃの上面の間に設けられている。このため、取扱種別表示部４０は、剥離剤層４５の部分で、接着剤層３ｃから剥離可能であり、主シール部３０から分離できる。
なお、取扱種別表示変更用切込み４１の断面形状は、紙基材３ｄ、剥離剤層４５及び接着剤層３ｃを貫通し、中間基材３ｂの上部まで達している。これは、取扱種別表示部４０を剥離しやすくするためである。
【００２８】
取扱種別表示４２は、取扱種別表示部４０上に印刷されている。一方、取扱種別表示５２は、中間基材３ｂ上のうち取扱種別表示部４０が配置されている領域に設けられている。取扱種別表示４２及び取扱種別表示５２の平面上の配置は、同じである。
なお、取扱種別表示４２及び取扱種別表示５２のうち、実使用時の利用頻度の多い「通常」が取扱種別表示４２に設定されている。
【００２９】
上記構成により、配送物貼付シール部２０は、配送物（被着体）に再貼付された状態において、取扱種別表示部４０が残存した態様では取扱種別表示４２が視認可能であり、取扱種別表示部４０が剥離された態様では取扱種別表示５２が視認可能である。
また、取扱店の担当等は、配送物の取り扱いが多い種別である「通常」の場合には、副シールを剥離する手間がない。このため、配送用シール１は、取り扱いが多い「通常」の場合には、余分な工数がかからず、作業効率を向上できる。
さらに、取扱店の担当、配送担当等は、種別を確認する場合には、配送物貼付シール部２０の同じ平面上の位置を見ればよいので、作業効率を一層向上できる。
【００３０】
配送情報４３，５３（細識別情報）は、主シール部３０内の右側の領域と、取扱店控１０とに連続するように設けられており、貼付シール周縁切込み１１を跨ぐように配置されている。
配送情報４３，５３は、取扱種別表示４２，５２により識別された情報を、さらに詳細に識別するための情報である。つまり、取扱種別表示４２，５２は、配送物の取扱種別を識別し、さらに、配送情報４３，５３は、配送物の大きさ、配送料等を識別できるようになっている。
配送情報４３，５３は、取扱種別表示４２「通常」については、「Ａ４  １ｃｍ  ８０」、「Ａ４  ２ｃｍ  １００」が設けられており、取扱種別表示５２「速達」については、「Ａ４  １ｃｍ  １２０」、「Ａ４  ２ｃｍ  １５０」が設けられている。
【００３１】
マークガイド４４，５４は、配送情報４３，５３の周囲全周又は周囲一部に、貼付シール周縁切込み１１を跨ぐように配置されている。
なお、マークガイド４４，５４は、配送情報４３，５３の周囲一部に設けてもよい。この場合には、例えば、括弧の記号等を、配送情報４３，５３の左側及び右側に設ければよい。
【００３２】
客控５、取扱店控１０、配送物貼付シール部２０の主シール部３０は、同一の番号（管理情報）が付された、問合せ番号６１、管理コード６２、管理コード６３を備える。
客控５の問合せ番号６１、取扱店控１０の管理コード６２には、番号のみが印刷されている。
主シール部３０には、番号に加えて、その番号を示すバーコードが付されている。バーコードは、取扱店が配送物の荷受のためポスレジスターで読み込んだり、配送担当者が配送管理のため携帯端末で読み込むために利用されたりする。
【００３３】
図３を参照して、第１実施形態の配送用シールの他の実施形態について説明する。
図３に示す配送用シールは、図でわかるように、図１に示す配送用シールと異なり、取扱種別表示部４０の一辺が配送用シールの短辺を共有していない。
すなわち、取扱種別表示部４０を伴った配送物貼付シール部２０が配送用シール１に内包された形態を示している。
図１に示す例と、図３に示す例を比較したときに、図３に示す例の方が、配送シールが取扱店で保管中に、または、使用される前に取扱種別表示部４０が剥がれてしまう危険性が少ない。その一方で、図３に示す例は、図１に示す例に比べて材料を多く使用するために材料費が高くなるという欠点がある。
【００３４】
図１を参照して、配送用シールの管理コードについて説明する。
配送物の配送依頼を受けた取扱店では、依頼主（客）に「通常」、「速達」何れの扱いで配送するか選択してもらい、配送用シール１の取扱店控１０に印刷された配送情報を選択し、配送情報を囲むように、または、マークガイド４４，５４に沿ってマークを記載する。取扱店では、配送物貼付シール部２０を取扱店控１０から剥ぎ取って配送物に貼付し、配送用シールのお客様控切り離し予定部６で客控５を切り離し、依頼主に渡す。配送物貼付シール部２０と、取扱店控１０本体部には、管理コード６２，６３が印刷されている。
この管理コード６２，６３は、各配送用シール１固有のコードとなっていて、取扱店控１０本体部には目視で読み取り可能な文字で、配送物貼付シール部２０には光学読取可能なコードで印刷されている。
【００３５】
依頼主は、配送物の配送状況を確認したいときに、客控５に印刷されたお問い合わせ番号６１を取扱店側に伝え、配送物の所在を確認する。
そのために、問合せ番号６１は、取扱店控１０に印刷された管理コード６２及び配送物貼付シール部２０の主シール部３０に印刷されている光学読取用の管理コード６３と同一でなければならない。
【００３６】
（使用方法）
図４、図５を参照して、第１実施形態の配送用シールを使用した速達メール便の使用方法について説明する。
図４に示すように、配送物の配送依頼を受けた取扱店では、依頼主に通常、速達何れの扱いで配送するか選択してもらう。
ここでは、配送物７０を「速達」で送付し、かつ、配送物７０のサイズが「Ａ４  １ｃｍ  １２０」である例を説明する。
取扱店の担当（作業者）は、上記に対応したマークガイド５４に沿ってマーク５４ａを記載する。
取扱店の担当は、配送物貼付シール部２０を取扱店控１０から剥ぎ取って配送物７０に貼付し、お客様控切り離し予定部６で客控５を切り離して分離し、依頼主に渡す。
【００３７】
ここで、取扱店の担当は、配送種別に応じて、取扱種別表示部４０を剥離するか否かを選択する。この例では、配送種別が「速達」の場合なので、取扱店の担当は、取扱種別表示部４０を剥離する方を選択する。
一方、この例とは異なり配送種別が「通常」の場合には、取扱店の担当は、取扱種別表示部４０を剥離せずに残存する方を選択する。
【００３８】
なお、配送用シール１は、粘着剤層３ａの接着強度が接着剤層３ｃの接着強度よりも弱くなるように、各部材の材質、材料が選択してある。このため、配送物貼付シール部２０を剥がす場合に、取扱種別表示部４０をつまんで剥がしたとしても、取扱種別表示部４０が単独で剥がれることはない。
【００３９】
図４ａに示すように、取扱店の担当は、取扱店控１０から配送物貼付シール部２０を剥がした後、図４ｂに示すように配送物貼付シール部２０から「通常」と印刷されている取扱種別表示部４０を引き剥がす。
取扱種別表示部４０が引き剥がされた配送物貼付シール部２０には、中間基材３ｂに印刷された「速達」の取扱種別表示５２が表出される。なお、取扱種別表示５２が視認できるように、接着剤層３ｃ、剥離剤層４５は、透明な材料により形成される。
【００４０】
図４ａに示すように、マーク５４ａが記載された取扱店控１０は、剥離基材２の剥離処理面２ａが表出した状態で取扱店に残される。取扱店控１０の取扱店控部本体部（図３に示した取扱店控部本体部１１０）には、マーク５４ａが記載された「１２０」と印刷された配送情報５３が残される。
図４（ａ）の取扱店控１０の上段の配送情報４３「８０」、「１００」は通常扱の料金を示し、下段の配送情報５３「１２０」、「１５０」は速達扱の料金を示す。
また、配送物貼付シール部２０の上段の配送情報４３「Ａ４  １ｃｍ」、「Ａ４  ２ｃｍ」は通常扱であることを示し、下段の配送情報５３「Ａ４  １ｃｍ」、「Ａ４  ２ｃｍ」は速達扱であることを示す。なお、Ａ４は配送物の大きさを表し、１ｃｍは配送物の厚さを表す。
【００４１】
取扱店控１０には、マーク５４ａの右半分が存在するので、取扱店は、マーク５４ａを確認すれば、配送物７０を配達担当者に受け渡した後でも、配送種別が「速達」で配送されたことを確認できる。これにより、取扱店は、配送種別の識別に加えて、その料金「１２０」を識別して確認できる。また、取扱店は、大きさ等についても、未使用の配送用シール１等を参照すれば、識別して確認できる。
取扱店では、ファイル孔１０ａでファイルし、前述の依頼主からの問い合わせに備える。
【００４２】
図５を参照して、第１実施形態の配送物に速達メール便扱いの配送物貼付シール部２０が貼付された状態の一例について説明する。
配送物７０には、配送物の受取人の住所及び氏名、依頼主の住所及び氏名などが記載された配送伝票７１と配送物貼付シール部２０が、担当によって貼付される。また、配送伝票７１と配送物貼付シール部２０は互いに重ならないように配送物７０に貼付される。
なお、これら住所、氏名などを配送物７０に直接記載する場合には、配送伝票７１は、不要である。
配送物取扱店の担当は、主シール部３０には管理コード６３を、配送物取扱店のポスレジスター等に入力する。これにより、管理番号と、配送物取扱店を識別する店番号等とが関連付けられることになる。
配送物７０は、取扱店から配達担当者が受け取ると、取扱種別表示部４０及び、配送情報４３，５３表示部のマーク５４ａが「速達」扱いとされているため、速達便集積場に送られる。
【００４３】
配送担当は、配送物７０を配送伝票７１に記載された受取人に届ける。
メール便システムでは受取人から受領印を貰わないため、受取人のポストに投函する前に、配送物に貼付された配送物貼付シール部２０の光学読取可能な管理コード６３を専用端末で読取り、配達が完了したことを専用端末に記憶させる。
光学読取用管理コード６３はＯＣＲコードでも、二次元コードでも、バーコードでもよい。
【００４４】
専用端末に記憶させた管理番号は、依頼主からの問い合わせに使用されるため、問い合わせ先センターや取扱店に送信される。
なお、２種類の配送種別のいずれが選択されても、配送物貼付シール部２０の主シール部３０は、配送物７０に貼付された状態では、同一の管理コード６３が表出する。このため、配送物貼付シール部２０と、取扱店控１０及び客控５とは、同一の番号で関連付けることができ、従来と同様なトレーサビリティ（追跡可能性）等を有する。
【００４５】
また、上記例とは異なり、取扱店控１０の紙片をお客様控えにして、かつ、分離片の紙片を取扱店控にしてもよい。これらの紙片は、配送担当者には回収されず、配送元（つまり、取扱店及び依頼主）に残る。このため、これらの紙片を、取扱店及び依頼主のどちらの控えにするかは、使用態様に応じて適宜設定できるからである。
【００４６】
図１、図２を参照して、本実施形態の配送用シールに使用される材料と、配送用シールの作製方法について説明する。
「剥離処理面２ａが形成された剥離基材２＋粘着剤層３ａ＋中間基材３ｂ」には、市販の粘着紙を使用する。
紙基材３ｄの表面に「取扱店控」、「お客様控」、「取扱種別表示４４，５４」、「配送情報４３，５３」、「マークガイド４４，５４」などをオフセットインキによって印刷し、紙基材３ｄの取扱種別表示部４０の裏側に、剥離剤層４５をワックス系インキ、シリコンインキなどで印刷する。
前述の粘着紙の中間基材３ｂの表出面、または、紙基材３ｄの裏面全面にエマルジョン型のビニル系接着剤や澱粉系の接着剤を塗布し、粘着紙と紙基材３ｄを貼り合わせ、乾燥させた後、同一ラインで貼付シール周縁切込み１１、取扱種別表示変更用切込み４１を形成する。
多面付け状態の配送用シールに、プリンタで管理コード６２，６３、お問い合わせ番号６１を印字し、裁断して１枚の配送用シールを作製する。
【００４７】
このように、配送用シール１は、「通常」、「速達」を選択して、配送物７０の識別に利用できる。これにより、「通常」、「速達」用それぞれにシールを用意する必要がなく、シールの在庫管理が容易である。また、「通常」、「速達」用にそれぞれバーコードを発行する必要がないので、バーコードの番号を破棄することがなく、バーコードを有効利用できる。さらに、取扱店の担当は、配送物７０の「通常」、「速達」に応じて取扱種別表示部４０を剥がせばよいので、作業が簡単である。
【００４８】
以上説明したように、配送用シールは、従来宅配などで使用されるメール便で、配送のためのシールを通常メール用と、速達メール用と別々に用意し、使い分けていたものを一つの配送用シールにまとめることができ、取り違えて使用されることもなくなり、また、在庫管理も容易になり、結果として配送のためのコストダウンを計ることができる。
また、配送用シールの使用方法は、配送物に選択された取扱種別が表示されるために、支払われた料金に応じた配送を行なう事ができる。
【００４９】
（第２実施形態）
次に、本発明の第２実施形態について説明する。
なお、以下の説明及び図面において、前述した第１実施形態と同様の機能を果たす部分には、末尾（下２桁）に同一の符号を付して、重複する説明を適宜省略する。
図６、図７を参照して、本発明の配送用シールの一実施形態について説明する。
第２実施形態の配送用シール２０１は、主に以下の点を、第１実施形態から変更した。
・客控２１０として、第１実施形態の取扱店控１０（図１参照）を用いた。このため、客控５（図１参照）を削除して、配送用シール２０１の全体の形状を小型にし、コストダウンした。また、配送用シール２０１では、取扱店控は、設けられていない。
・お客様問合せ情報２６２として、管理コード６２（図１参照）を用いた。また、お客様問合せ情報２６２が印刷された部分である問合せ情報片２６２ａは、分離線２６２ｂにより、分離可能にした。
【００５０】
以下、詳細に説明する。
図７に示すように、配送用シール２０１は、剥離基材２０２と剥離基材２０２の剥離処理面２０２ａ（図７の断面では、剥離処理面２０２ａは剥離処理層として表示している）に、シール層２０３が積層された積層体である。
シール層２０３は、剥離処理面２０２ａ側から粘着剤層２０３ａ、中間基材２０３ｂ、接着剤層２０３ｃ、紙基材２０３ｄが積層されている。シール層２０３は、粘着剤層２０３ａによって、剥離処理面２０２ａに接着されている。シール層２０３は、再貼付可能な種類である。
【００５１】
また、配送用シール２０１には配送物に貼付される矩形状の貼付シール部２２０が紙基材２０３ｄ、接着剤層２０３ｃ、中間基材２０３ｂを貫通する貼付シール周縁切込み２１１によって形成されている。
また、貼付シール部２２０の一短辺近傍、貼付シール部２２０の内側には、紙基材２０３ｄを貫通し短辺に平行で短辺と同一長の副シール部境界切込み（副シール部境界切込みは、主シール部２３０と副シール部２４０に分断する切込みを意味する）２４１が形成されている。
【００５２】
紙基材２０３ｄと中間基材２０３ｂは接着剤層２０３ｃによって貼り合わされ一体化されている。紙基材２０３ｄと中間基材２０３ｂが貼り合わされる前に、紙基材２０３ｄの副シール部２４０の裏側に副シール部２４０を接着剤層２０３ｃから剥がし取るための剥離剤層２４５が印刷によって部分的に形成されている。
【００５３】
貼付シール周縁切込み２１１は、紙基材２０３ｄ、接着剤層２０３ｃ、中間基材２０３ｂを貫通する状態で形成されるが、粘着剤層２０３ａが極めて薄いために、貼付シール周縁切込み２１１の抜き刃は、粘着剤層２０３ａを貫通し、一部剥離基材２０２にまで到達している場合が多い。
同様に、副シール部境界切込み２４１は、紙基材２０３ｄを貫通する状態で形成されるが、剥離剤層２４５及び接着剤層２０３ｃが極めて薄いために、副シール部境界切込み２４１の抜き刃は、一部中間基材２０３ｂにまで到達している場合が多い。
【００５４】
図６に示すように、貼付シール部２２０の主シール部２３０には、バーコードのような機械読み取り可能な管理コード２６３が印刷され、貼付シール部２２０の外側の配送用シール２０１の所定部（貼付シール部２２０の真上）には管理コード２６３に紐付けされた問合せ情報２６２が目視可能な状態で印刷されている。
問合せ情報２６２は、数字、すなわち「番号」でも、記号入りアルファベット、記号入り数字、仮名入り数字、何れでもよい。
問合せ情報２６２は、問合せ情報片２６２ａに印刷されている。
問合せ情報片２６２ａは、切り込み線である分離線２６２ｂによって客控２１０と分離している。このため、問合せ情報片２６２ａは、客控２１０から分離して、剥離基材２０２から剥離できる。
以下、本実施形態の説明では問合せ情報２６２は、数字だけで構成された例で説明する。
【００５５】
前述のように副シール部２４０の紙基材２０３ｄと接着剤層２０３ｃの間には剥離剤層２４５が形成されている。
また、副シール部２４０の紙基材２０３ｄの表出面には「速達」、「通常」の何れか一方の取扱種別表示２４２が識別可能に印刷されている（図６に示す例では、取扱種別表示２４２が「通常」の文字で表示されている）。
副シール部２４０の裏側、中間基材２０３ｂの紙基材側表面には、紙基材２０３ｄの表出面に印刷された取扱種別表示２４２と異なる取扱種別表示２５２「速達」が剥離剤層２４５の紙基材２０３ｄ側から識別可能な状態で印刷されている。すなわち、剥離剤層２４５は透明な材料、例えば、透明な印刷インキで形成されている。
副シール部２４０が形成されていない側の貼付シール部周縁切込みの短辺には、短辺切込みを跨ぐように配送情報２４３，２５３が印刷されている。また、配送情報２４３，２５３の文字の周辺にはマークガイド２４４，２５４が点線などで印刷されている。マークガイド２４４，２５４も短辺切込みを跨ぐように印刷されている。
【００５６】
本実施形態では取扱種別表示２４２，２５２は、貼付シール部２２０の副シール部２４０に「通常」、「速達」の表示が、貼付シール部２２０の外側の客控２１０に「通常・速達」の表示が印刷によって表示された例で説明するが、取扱種別表示２４２，２５２は、前述の表示方法ではなく印刷色、イラスト、文字＋印刷色＋イラスト、その他の識別可能な手段で表示することもできる（以下の本実施形態の説明では取扱種別表示２４２，２５２は文字で表示する例で説明する）。
また、図６に示す客控２１０に印刷された取扱種別表示２４２，２５２「通常・速達」の表示は、マークされたマークガイド２４４，２５４の位置で識別できるために必ずしも表示の必要はない。
【００５７】
次に、配送情報２４３，２５３について説明する。
図６に示す配送情報２４３，２５３が「Ａ４  １ｃｍ  ８０」、「Ａ４  ２ｃｍ  １００」、「Ａ４  １ｃｍ  １２０」、「Ａ４  ２ｃｍ  １５０」と表示されているのは、配送物の大きさがＡ４サイズで、配送物の厚さが１又は２ｃｍで、配送料金が８０円〜１５０円であるということを示している。
すなわち、「Ａ４  １ｃｍ  ８０」、「Ａ４  ２ｃｍ  １００」は、配送料金の安い通常扱いの配送情報で、「Ａ４  １ｃｍ  １２０」、「Ａ４  ２ｃｍ  １５０」は速達扱いの配送情報を意味している。
取扱店の担当（作業者）は、配送物２７０が信書ではないという署名を、依頼者に対して依頼する。依頼者は、了解すると、署名シート（図示しない）に署名する。
署名シートは、複写片になっており、署名の店舗控、署名の客控を備える。複数の配送物２７０を同時に依頼する場合でも、署名シートは、１枚でよい。
配送物取扱店の担当（作業者）は、配送依頼人の要求に基づいて、配送情報２４３，２５３を選択し、貼付シール周縁切込み２１１の短辺を跨ぐように、また、マークガイド２４４，２５４に沿ってマークを付ける。
【００５８】
図７、図８を参照して、配送用シールの使用方法について説明する。
配送物取扱店の担当は、配送物を依頼した依頼主（客）ら取扱種別「通常」、「速達」の何れで配送するかを確認し、配送用シール２０１の配送情報２４３，２５３を選択し、マーク２５４ａを付ける。ここでは、配送物２７０を「速達」で送付し、かつ、配送物２７０のサイズが「Ａ４  １ｃｍ  １２０」を選択した例を説明する。
図６に示す配送用シール２０１から、貼付シール周縁切込み２１１に沿って貼付シール部２２０を引き剥がす。
客控２１０となる配送用シール２０１は、貼付シール部２２０が形成されていた部分が剥離処理面２０２ａとなって露出している。
貼付シール部２２０が剥離された配送用シール２０１は、客控２１０として使用され、配送を依頼した依頼主に渡される。同時に、署名シートの客控（図示せず）も、依頼主に渡される。
【００５９】
なお、複数の配送物２７０を同時に依頼した場合には、複数の客控２１０が依頼主に渡され、客控２１０の管理が煩雑になる可能性がある。この場合には、依頼主は、複数の客控２１０から各問合せ情報片２６２ａを剥離して、署名シートの客控（控え片）等に貼付すれば、客控２１０を破棄等しても、問合せ情報２６２を確認できる。これにより、依頼主は、署名シートの客控等のみを管理すればよいので、管理が容易になる。
【００６０】
客控２１０には、問合せ情報２６２が印刷され、配送情報２５３が「１２０」と印刷された部分にマーク２５４ａの半分が残されている。
マーク２５４ａによって、この客控２１０は、「速達」で取り扱われた配送物２７０の客控であることが判る。
【００６１】
一方、配送用シール２０１から引き剥がされた貼付シール部２２０の副シール部２４０には図６に示す取扱種別が「通常」扱いのままになっているために、図８ｂに示すように副シール部２４０を副シール部境界切込み２４１に沿って剥がし取り、取扱種別表示２５２「速達」を表出させる。副シール部２４０の紙基材２０３ｄは、図７に示す剥離剤層２４５と接着剤層２０３ｃの間で剥がされる。
図７で判るように紙基材２０３ｄと中間基材２０３ｂは剥離剤層２４５を介して接着剤層２０３ｃで擬似接着状態になっているために、剥がし取られた副シール部２４０の裏側には接着剤が残らず剥離剤層２４５が表出している。したがって、剥がし取られた副シール部２４０は、裏側に粘着剤が表出しているわけでもなく通常の紙と同様の扱いとすることができる。
【００６２】
図９を参照して、配送物に速達メール便扱いの貼付シール部２２０が貼付されたメール便の一例と、その使用方法について説明する。
図９は、図８ｂの貼付シール部２２０が配送物２７０に貼付された状態を示している。
配送物取扱店の担当は、貼付シール部２２０を配送物２７０に貼付すると、主シール部２３０の管理コード２６３を、配送物取扱店のポスレジスター等の読み取り装置で読み取り、番号を入力する。
なお、配送物取扱店は、この入力番号によって、配送物２７０の各情報（配送物２７０の荷受の確認、配送状況等）を確認できる。このため、配送用シール２０１が配送物取扱店の控えを備えない形態でも、配送物取扱店は、配送物２７０の各情報を確認できる。
【００６３】
届け先情報２７１が記載された配送物２７０は、貼付シール部２２０の副シール部２４０に印刷された取扱種別表示２５２「速達」によって、「速達」で取り扱われた配送物であることが判る。
一方、貼付シール部２２０の右側短辺に付された半マーク２５４ａの位置から、この配送物は「速達」で取り扱われた配送物であることが判る。
【００６４】
配送担当は、配送物を届け先のポストに投函する直前に貼付シール部２２０の管理コード２６３を携帯端末によって読み取り、無線、または、有線によって配送物の管理コード２６３を配送済みと登録する。
携帯端末に記憶させた管理番号は、依頼主からの問い合わせに使用されるため、問い合わせ先センターや取扱店に送信される。
【００６５】
配送物取扱店の担当は、図８ａに示す客控２１０を所持する依頼主から配送物の配送状況を問われたときに、依頼主が電話で伝えてきた、または、取扱店に提示した問い合わせ番号「１１２３−４５６７−８９０１」で、問い合わせ番号に紐付けされた管理コードを検索し、管理コードが存在すれば問い合わせがあった配送物は配送済みとする。
【００６６】
図７を参照して、本実施形態の配送用シールの作製方法と使用される積層体の材料について説明する。
「剥離基材２０２＋剥離処理面（剥離処理層）２０２ａ＋粘着剤層２０３ａ＋中間基材２０３ｂ」が順次積層された市販の粘着紙（タック紙）の中間基材２０３ｂの表出面の所定の場所に取扱種別表示２５２の文字を印刷し、全面に接着剤（粘着剤層２０３ａ）を塗布し、剥離剤層２４５が形成された紙基材を前述のタック紙と位置合わせを行いながら貼り合わせる。紙基材の表出面の印刷、剥離剤層２４５の印刷はインラインで行なう。
接着剤層２０３ｃの接着剤にはエマルジョン型のビニル系接着剤や澱粉系の接着剤を使用し、剥離剤層２４５の剥離剤には紫外線硬化型オフセットインキにワックス、シリコンなどを添加した剥離用インキを使用する。また、紙基材の表出面の印刷には、市販のオフセットインキを使用し、図示しないが「問合せ番号」や、「管理コード」はノンインパクトプリンタ（例えば、インクジェットプリンタ）によって印刷する。
紙基材２０３ｄには、上質紙、中質紙、コート紙などから適宜選択して使用する。
貼付シール周縁切込み２１１及び副シール部境界切込み２４１は、シリンダ型、平圧型押し切り刃により、配送用シールの印刷に位置合わせを行いながら形成する。
【００６７】
なお、各問合せ情報片２６２ａを剥離して、署名シートの控え片等に貼付する構成は、第１実施形態に適用してもよい。この場合には、取扱店が、署名シートの取扱店控え片等に貼付することにより、複数の配送物を容易に管理できる。
【００６８】
以上説明したように、配送用シールは、従来宅配などで使用されるメール便で、配送のためのシールを通常メール便用と、速達メール便用とを別々に用意し使い分けする必要があったものを、一つの配送用シールにまとめることができ、取り違えて使用されることもなくなる。また、在庫管理も容易になり、結果としてコストダウンを計ることができる。
また、配送用シールの使用方法によって、配送物には選択された取扱種別だけが表示されるために、配達員は間違って料金を収集することもない。また、問い合わせ情報と管理コードが紐付けされているために配送物配送直後に管理コードを登録することによって配送物の配送状況を掌握することができる。
【００６９】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００７０】
（変形形態）
実施形態において、識別シールは、配送物の種別の識別のために用いる例を示したが、これに限定されない。識別シールは、他の被着体の識別に用いてもよい。例えば、病院等において、複数の看者（被着体）の容態を識別したり、工場等において、複数の製品（被着体）の品質を識別するために用いてもよい。
【符号の説明】
【００７１】
（１）
１  配送用シール
２  剥離基材
３  シール層
３ａ  粘着剤層
３ｂ  中間基材
３ｃ  接着剤層
３ｄ  紙基材
５  客控
１０  取扱店控
１１  貼付シール周縁切込み
２０  配送物貼付シール部
３０  主シール部
４０  取扱種別表示部
４１  取扱種別表示変更用切込み
４２，５２  取扱種別表示
４３，５３  配送情報
４４，５４  マークガイド
４５  剥離剤層
５４ａ  マーク
６１  問合せ番号
６３  管理コード
７０  配送物
（２）
２０１  配送用シール
２０２剥離基材
２０２ａ  剥離処理面
２０３  シール層
２０３ａ  粘着剤層
２０３ｂ  中間基材
２０３ｃ  接着剤層
２０３ｄ  紙基材
２１０  客控
２１１  貼付シール周縁切込み
２２０  貼付シール部
２３０  主シール部
２４０  副シール部
２４１  副シール部境界切込み
２４２，２５２  取扱種別表示
２４４，２５４  マークガイド
２４５  剥離剤層
２５４ａ  マーク
２６２  問合せ情報
２６２ａ  情報片
２６２ｂ  分離線
２６３  管理コード
２７０  配送物２７１
【図１】
2013216082.tif 000003
【図２】
2013216082.tif 000004
【図３】
2013216082.tif 000005
【図４】
2013216082.tif 000006
【図５】
2013216082.tif 000007
【図６】
2013216082.tif 000008
【図７】
2013216082.tif 000009
【図８】
2013216082.tif 000010
【図９】
2013216082.tif 000011